(57)【要約】【課題】  カスタムボタンに登録できない機能が表示されたままだとユーザは登録できない機能があることに気付かないためユーザの操作性が低下する。【解決手段】  カスタムボタンの表示を行うカスタムメニュー表示手段と、カスタムメニュー表示手段で表示されたカスタムメニュー表示部から各ファンクション表示部に対してカスタムボタン登録要求を行う表示手段と、各ファンクション表示部では呼び出し元の表示部がカスタムメニュー表示部か否かを判断する手段と、呼び出し元の表示部がカスタムメニュー表示部でなかった場合は、各ファンクション表示部は通常のファンクション画面を表示する手段と、呼び出し元の表示部がカスタムメニュー表示部であった場合は、各ファンクション表示部は通常のファンクション表示部からカスタムメニューボタンとして登録できない機能を選択不可とする手段と、を有することを特徴とする。【選択図】  図６
2020140590.tif 000002
【特許請求の範囲】
【請求項１】
カスタムボタン登録機能を有する画像処理装置において、
カスタムボタンの表示を行うカスタムメニュー表示手段（Ｓ６０１）と、
カスタムメニュー表示手段で表示されたカスタムメニュー表示部（５０２）から各ファンクション表示部（５０３，５０４）に対してカスタムボタン登録要求を行う表示手段（Ｓ６０２）と、
各ファンクション表示部（５０３，５０４）では呼び出し元の表示部がカスタムメニュー表示部（５０２）か否かを判断する手段（Ｓ６０３）と、
呼び出し元の表示部がカスタムメニュー表示部（５０２）でなかった場合は、各ファンクション表示部（５０３，５０４）は通常のファンクション画面を表示する手段（Ｓ６０４）と、
呼び出し元の表示部がカスタムメニュー表示部（５０２）であった場合は、各ファンクション表示部（５０３，５０４）は通常のファンクション表示部からカスタムメニューボタンとして登録できない機能を選択不可とする手段（Ｓ６０５）と、
を有することを特徴とする画像処理装置（１０３）。
【請求項２】
機能を選択不可とする手段（Ｓ６０５）とは機能表示をグレーアウトやマスク表示において表示上選択できない状態であることを示し、選択できない状態にする表示手段を含むことを特徴とする請求項１に記載の画像処理装置（１０３）。
【請求項３】
機能を選択不可とする手段（Ｓ６０５）とは機能を非表示にして選択できない状態にする表示手段を含むことを特徴とする請求項１に記載の画像処理装置（１０３）。
【発明の詳細な説明】
【技術分野】
【０００１】
本発明は、画像処理装置において様々な設定をユーザが任意にボタンとして登録可能なカスタムボタンに関する。
【背景技術】
【０００２】
近年、画像処理装置においては様々な機能を備え、ユーザが行う操作も多様化している。個人だけが使うような装置であれば個人がよく使う設定をデフォルト設定として登録することで操作性を改善することが可能である。
【０００３】
しかし、デジタル複合機のような画像処理装置においては一般的に複数のユーザで共有して使用するため、あるユーザがよく使う機能をデフォルト設定にしたとしても他のユーザは都度自分がよく使う設定に切り替える必要がある。
【０００４】
このように多様化したユーザの操作を効率的に行うための手段として、各個人がよく使う設定を画像処理装置に複数登録できるようなカスタムボタンという技術がある（特許文献１参照）。
【０００５】
また、カスタムボタンの表示／登録を１つの入り口から行えるようにするためのカスタムメニュー画面がある（例えば図３（Ｃ）、図３（Ｄ）参照）。図３（Ｃ）ではカスタムメニューボタン３０４を押下することでカスタムボタンとして登録されている設定アイコン３０７を一覧表示することが可能である。
【０００６】
また、登録ボタン３０８を押下することで図３（Ｄ）に表示したような各ファンクションのカスタムボタン登録画面３０９が表示される。各ファンクションのカスタムボタン登録画面３０９を押下することで図３（Ｂ）にあるような各ファンクションの画面表示に切り替わり、カスタムボタンとして登録する機能を選択する。
【０００７】
また、メインメニューボタン３０３を押下することで各ファンクションを一覧して表示することが可能である（図３（Ａ））。
【先行技術文献】
【特許文献】
【０００８】
【特許文献１】特開２０１４−１３５７２号公報
【発明の概要】
【発明が解決しようとする課題】
【０００９】
しかしながら、各ファンクション画面を表示してカスタムボタン登録する機能を選択する際に、カスタムボタンに登録できない機能が表示されたままだとユーザは登録できない機能があることに気付かないためユーザの操作性が低下するという課題がある。
【課題を解決するための手段】
【００１０】
上記の課題を解決するために、本発明に係る画像処理装置は、
カスタムボタン登録機能を有する画像処理装置において、
カスタムボタンの表示を行うカスタムメニュー表示手段（Ｓ６０１）と、
カスタムメニュー表示手段で表示されたカスタムメニュー表示部（５０２）から各ファンクション表示部（５０３，５０４）に対してカスタムボタン登録要求を行う表示手段（Ｓ６０２）と、
各ファンクション表示部（５０３，５０４）では呼び出し元の表示部がカスタムメニュー表示部（５０２）か否かを判断する手段（Ｓ６０３）と、
呼び出し元の表示部がカスタムメニュー表示部（５０２）でなかった場合は、各ファンクション表示部（５０３，５０４）は通常のファンクション画面を表示する手段（Ｓ６０４）と、
呼び出し元の表示部がカスタムメニュー表示部（５０２）であった場合は、各ファンクション表示部（５０３，５０４）は通常のファンクション表示部からカスタムメニューボタンとして登録できない機能を選択不可とする手段（Ｓ６０５）と、
を有することを特徴とする。
【発明の効果】
【００１１】
本発明に係る画像処理装置によれば、カスタムメニュー画面から各ファンクション画面を呼び出してカスタムボタンを登録する際にはカスタムボタンとして登録できない機能についてはユーザが選択できないようにすることが可能となる。これによりユーザはカスタムボタン登録できない機能を誤って選択してカスタムボタンに登録しようとすることはなくなるため操作性が向上する。
【図面の簡単な説明】
【００１２】
【図１】本発明の一実施形態としてのコンピュータを含むシステムの構成を説明する図
【図２】本発明の一実施形態の画像処理装置のブロック図
【図３（Ａ）】従来技術の画面表示例
【図３（Ｂ）】従来技術の画面表示例
【図３（Ｃ）】従来技術の画面表示例
【図３（Ｄ）】従来技術の画面表示例
【図４】本発明の画面表示例
【図５】本発明の表示制御を行うためのソフトウェアモジュール構成図
【図６】本実施例のフローチャート
【発明を実施するための形態】
【００１３】
以下、本発明を実施するための形態について、図面を参照しながら説明する。
【実施例１】
【００１４】
図１は本実施形態におけるシステム全体の構成を示したものである。
【００１５】
画像処理装置１０３及び１０４はスキャンした紙原稿を電子化してネットワーク１０６を介してメールサーバ１０１経由でメール送信したり、コンピュータ１０２の共有フォルダに送信することが可能である。
【００１６】
また、画像処理装置１０３には一般公衆回線であるＰＳＴＮ回線１０５が接続されており、該ＰＳＴＮ回線１０５を介して画像処理装置１０４とＦＡＸの送受信が可能である。
【００１７】
図２は本実施形態における画像処理装置１０３の構成を示すブロック図である。
【００１８】
ＣＰＵ２０１は、ＲＯＭ２０９に格納されたプログラムを、ＲＡＭ２０８にロードすることによって画像処理装置１０３全体の動作を制御する。また、ＣＰＵ２０１は、バス２０２を介して画像処理装置１０３内の各構成と通信を行う。
【００１９】
プリンタ２０４は、入力された画像データに基づく画像を、記録紙（シート）上に印刷する。
【００２０】
スキャナ２０５は、ユーザが原稿台にセットした原稿上の画像を読み取り、これによって得た画像データをＨＤＤ２０３、ＲＡＭ２０８等に蓄積する。また、スキャナ２０５は、不図示の原稿給送装置を含み、原稿給送装置にセットされた複数枚の原稿を順次原稿台上に給送後、読み取ることが可能である。
【００２１】
ＨＤＤ２０３はハードディスクドライブであり、スキャナ２０５より入力された画像データや各種ユーザーデータ（アドレス帳等）等を保存可能である。
【００２２】
操作部２０６は、ユーザが指示を行うための複数のキー、ユーザに通知すべき各種情報を表示する表示部を含む。
【００２３】
ネットワークＩ／Ｆ２０７は、画像処理装置１０３をネットワーク１０６に接続し、スキャナ２０５でスキャンした画像データをネットワーク上のメールサーバ１０１やファイル共有サーバ１０２へのデータの送信を制御する。
【００２４】
ＦＡＸ２１０は、ＰＳＴＮ回線１０５を介してＦＡＸの送受信を行う。
【００２５】
図３は従来技術に関する発明である。
【００２６】
図３（Ａ）はメインメニュー画面を表示した例である。メインメニュー画面には画像処理装置１０３で使用可能な全てのファンクション３０１，３０２が表示エリア３００に表示される。
【００２７】
メインメニューボタン３０３とカスタムメニューボタン３０４を押下することで図３（Ａ）のメインメニュー画面と図３（Ｃ）のカスタムメニュー画面を切り替え可能である。
【００２８】
図３（Ｂ）は図３（Ａ）のメインメニュー画面からスキャンして送信ボタン３０２を押下したときに表示されるファンクション画面である。
【００２９】
３０６は送信時に必要となる各種設定（解像度、用紙サイズ等）を行うためのボタンである。
【００３０】
３０５はＦＡＸ送信時にオンフック送信するために使うためのボタンである。
【００３１】
図３（Ｃ）はカスタムメニューボタン３０４を押下したときに表示される画面である。
カスタムメニュー画面では登録済みのカスタムボタン３０７が一覧として表示され、登録ボタン３０８を押下すると図３（Ｄ）の画面が表示され、各ファンクションのカスタムボタン登録を行うことが可能である。
【００３２】
図３（Ｄ）では各ファンクションボタン３０９を選択することで各ファンクションの画面を呼び出しカスタムボタン登録を行うことが可能である。
【００３３】
図４は本発明における画面表示の一例を示したものである。
【００３４】
図４は図３（Ｄ）のファンクションボタン３０９からスキャンして送信を選択した際に表示されるファンクション画面の一例である。
【００３５】
図３（Ｂ）のファンクション画面と図４のファンクション画面で異なる点はカスタムボタンとして登録することができないＦＡＸ送信で使用するオンフックボタン４０３が選択できないようになっている点が異なる。
【００３６】
また、図４ではカスタムボタン登録用の表示画面であることを示すために、図３（Ｂ）の表示に加えて４０１で示す領域にメッセージ表示とカスタムメニュー登録ボタン４０２を表示している。
【００３７】
カスタムメニューとして登録したい各種機能を３０６やアドレス帳から選択した後に、登録ボタン４０２を表示することでカスタムボタン登録が可能である。
【００３８】
登録したカスタムボタンは図３（Ｃ）のカスタムメニュー画面に表示される。
図５は本発明における画面表示を行うためのソフトウェアモジュール構成図を図示したものである。
【００３９】
まず、操作部２０６からの表示要求を表示統括制御部５００が受け取り、図３（Ａ）のメインメニュー表示及びメインメニューボタン３０３、カスタムメニューボタン３０４を表示する。
【００４０】
メインメニュー表示を行う際は、表示統括制御部５００からメインメニュー表示制御部５０１に対して表示要求を行うことで表示する。
【００４１】
カスタムメニューボタン３０４が押下された場合は、表示統括制御部５００からカスタムメニュー表示制御部５０２に対して表示要求を行うことで図３（Ｃ）のカスタムメニュー表示画面を表示する。
【００４２】
図３（Ａ）のメインメニュー画面からコピーボタン３０１を押下した場合は、メインメニュー表示制御部５０１からコピーファンクション表示制御部５０３に対して表示要求を行うことでコピー画面を表示する。
【００４３】
図３（Ａ）のメインメニュー画面からスキャンして送信ボタン３０２を押下した場合は、メインメニュー表示制御部５０１からスキャンして送信ファンクション表示制御部５０３に対して表示要求を行うことで図３（Ｂ）のスキャンして送信画面を表示する。
【００４４】
図３（Ｃ）のカスタムメニュー表示画面から登録ボタン３０８を押下すると、カスタムメニュー表示制御部５０２が図３（Ｄ）の画面を表示する。
【００４５】
ファンクションボタン３０９でコピーボタンを押下するとカスタムボタン登録を行うためのファンクション表示要求をカスタムメニュー表示制御部５０２からコピーファンクション表示制御部５０３に対して行いカスタムボタン登録のためのコピー画面を表示する。
【００４６】
ファンクションボタン３０９でスキャンして送信を押下するとカスタムボタン登録を行うためのファンクション表示要求をカスタムメニュー表示制御部５０２からスキャンして送信ファンクション表示制御部５０３に対して行い図４の画面を表示する。
【００４７】
以下、本実施例におけるカスタムボタン登録に関して、図６のフローチャートを用いて説明する。
【００４８】
図６で示すフローチャートの処理は、ＲＯＭ２０９に格納されたプログラムをＲＡＭ２０８にロードした後にＣＰＵ２０１によって実行され、ＣＰＵ２０１による実行結果を表示する際は操作部２０６に表示される。
【００４９】
図３（Ａ）で表示されている画面からカスタムメニューボタン３０４を押下すると、表示統括制御部５００からカスタムメニュー表示制御部５０２に対して表示要求を行いカスタムメニュー図３（Ｃ）を表示する（Ｓ６０１）。
【００５０】
カスタムメニュー登録ボタン３０８を押下すると、カスタムメニュー表示制御部５０２は図３（Ｄ）の画面を表示する。
【００５１】
ファンクションボタン３０９でスキャンして送信を押下すると、カスタムメニュー表示制御部５０２はスキャンして送信ファンクション表示制御部５０４に対してカスタムボタン登録要求を行う（Ｓ６０２）。
【００５２】
スキャンして送信ファンクション表示制御部５０４においては、呼出し元の制御部がカスタムメニュー表示制御部５０２か否かを判断する（Ｓ６０３）。
【００５３】
Ｓ６０３で呼出し元の制御部がカスタムメニュー表示制御部５０２でないと判断した場合、スキャンして送信ファンクション表示制御部５０４は通常のファンクション表示画面である図３（Ｂ）を表示する。
【００５４】
Ｓ６０３で呼出し元の制御部がカスタムメニュー表示制御部５０２であると判断した場合、スキャンして送信ファンクション表示制御部５０４はカスタムボタンとして登録できない機能をユーザが選択不可の状態にしたファンクション表示画面である図４を表示する。
【００５５】
図４では、カスタムボタンとしては登録できないオンフックボタン４０３をグレーアウト表示して選択不可とする。
【００５６】
オンフックボタン４０３とはＦＡＸ送信時にオンフック送信を行うためのボタンであり、オンフックボタンを押下することで電話の受話器を上げるという動作と同じ状態にするためのものであり、送信時の設定ではないためカスタムボタンとしては登録ができない。
【００５７】
なお、本実施例においてはカスタムボタン登録時にファンクション画面で選択不可とする手段としては、グレーアウト表示するものであったが選択不可とする他の表示手段（例えば機能の非表示等）であっても良い。
【００５８】
以上、本実施例によりカスタムメニュー画面から各ファンクション画面を呼び出してカスタムボタンを登録する際にはカスタムボタンとして登録できない機能についてはユーザが選択できないようにすることが可能となる。
【００５９】
これによりユーザはカスタムボタン登録できない機能を誤って選択してカスタムボタンに登録しようとすることはなくなるため操作性が向上する。
【符号の説明】
【００６０】
１０１  メールサーバ、１０２  コンピュータ、１０３，１０４  画像処理装置、
１０６  ネットワーク
【図１】
2020140590.tif 000003
【図２】
2020140590.tif 000004
【図３（Ａ）】
2020140590.tif 000005
【図３（Ｂ）】
2020140590.tif 000006
【図３（Ｃ）】
2020140590.tif 000007
【図３（Ｄ）】
2020140590.tif 000008
【図４】
2020140590.tif 000009
【図５】
2020140590.tif 000010
【図６】
2020140590.tif 000011